(57)【要約】【課題】耕耘爪の後方を覆うリヤカバーの下端部に整地体を着脱自在に設けるロータリ耕耘装置において、整地体を持ち上げてリヤカバーへの着脱作業を行う際に、整地体を持ち上げるためだけの労力を要求し、格別握力は要求しないロータリ耕耘装置を提供する。【解決手段】リヤカバー９の左右の下端部に係止部１７，１８を設けると共に、整地体１２に係合部２１，２２と把持部２４とロック部材２５を設け、また、ロック部材の解除レバー３０は把持部２４に隣接して把持部の下方側に臨ませ、解除レバー３０に指を掛けて上方に持ち上げると、解除レバー３０と把持部２４とが重なって整地体１２をそのまま持ち上げることができるように構成する。【選択図】  図４
2012191884.tif 000002
【特許請求の範囲】
【請求項１】
耕耘爪の後方を覆うリヤカバーの下端部に整地体を着脱自在に設けるロータリ耕耘装置において、前記リヤカバーの左右の下端部に係止部を設けると共に、前記整地体に係合部と把持部とロック部材を設け、また、上記ロック部材の解除レバーは把持部に隣接して把持部の下方側に臨ませ、当該解除レバーに指を掛けて上方に持ち上げると、解除レバーと把持部とが重なって整地体をそのまま持ち上げることができるように構成することを特徴とするロータリ耕耘装置。
【発明の詳細な説明】
【技術分野】
【０００１】
本発明は、圃場の耕耘を行うロータリ耕耘装置に関するものである。
【背景技術】
【０００２】
圃場の耕耘を行うロータリ耕耘装置は、代掻き作業のように浅く耕耘する場合には連結されるトラクタに対して上昇した位置に保持されるため耕耘土の均平・整地作用を行うリヤカバーが起立姿勢となり、その接地面積乃至接地圧が減少して耕耘土の均平・整地性が悪化する。
そこで、耕耘爪の後方を覆うリヤカバーの下端部に整地体を取り付け、この整地体によって必要な接地面積乃至接地圧を確保して仕上がりを奇麗にすることが行われている。なお、深く耕耘する場合には、リヤカバーが後方側に傾倒姿勢となるためリヤカバー単独での耕耘土の均平・整地作用で足りることとなって、その場合は整地体を取り外して耕耘作業を行っている。
そして、重量物である整地体の取り付けの労力の軽減を図るために、メインカバーの係合部に整地体（サブカバー）の被係合部を係合させると共に、その係合状態を維持するようにロック部材によってロックし、また、ロック部材のロックを解除して係合状態を解き放って整地体を取り外すものが知られている（例えば、特許文献１参照）。
【先行技術文献】
【特許文献】
【０００３】
【特許文献１】特許第４１８５０３１号公報
【発明の概要】
【発明が解決しようとする課題】
【０００４】
整地体（サブカバー）の取り付けの労力の軽減を図る従来のロータリ耕耘装置にあっては、整地体を持つための把持部の上方側にロック部材のレバー部が延設されていて、レバー部を把持部と一緒に握ることによって整地体を持ち上げてリヤカバーへの着脱を行うようにしている。
しかし、このように構成すると作業者は整地体を持ち上げる荷重の他にロック部材のレバー部を一緒に握るための握力を必要として疲労すると共に、着脱作業に手間取るという問題があった。
そこで、本発明は、係る問題点に鑑みて、整地体を持ち上げてリヤカバーへの着脱作業を行う際に、作業者に整地体を持ち上げるためだけの労力を要求し、格別握力は要求しないロータリ耕耘装置を提供することを目的とする。
【課題を解決するための手段】
【０００５】
上記課題を解決するための本発明の技術的手段は、耕耘爪の後方を覆うリヤカバーの下端部に整地体を着脱自在に設けるロータリ耕耘装置において、前記リヤカバーの左右の下端部に係止部を設けると共に、前記整地体に係合部と把持部とロック部材を設け、また、上記ロック部材の解除レバーは把持部に隣接して把持部の下方側に臨ませ、当該解除レバーに指を掛けて上方に持ち上げると、解除レバーと把持部とが重なって整地体をそのまま持ち上げることができるように構成することを特徴とする。
【発明の効果】
【０００６】
本発明のロータリ耕耘装置によれば、整地体を持ち上げてリヤカバーへの着脱作業を行う際に作業者は解除レバーに指を掛けて上方に持ち上げると、その後、解除レバーと把持部とが重なって、整地体をそのまま持ち上げることができるので、把持部と解除レバーを一緒に握るための握力を必要とせず、着脱のための労力を軽減して着脱作業を円滑に行うことができる。
【図面の簡単な説明】
【０００７】
【図１】トラクタにロータリ耕耘装置を連結した状態を示す側面図である。
【図２】リヤカバーの背面図である。
【図３】整地体の装着状態を示す側面図である。
【図４】整地体の着脱状態を示す側面図である。
【発明を実施するための形態】
【０００８】
以下、本発明の実施の形態を図面に基づいて説明する。
図１において、ロータリ耕耘装置１は、トラクタ２の後部に周知の二点リンク機構３によって連結され、左右のリフトアーム４が回動することによってロータリ耕耘装置１は昇降して耕耘深さを変更自在としている。
【０００９】
ロータリ耕耘装置１はサイドドライブロータリ式とされ、図示しないギヤケースとギヤケースから左右方向に突設されたパイプフレームにより機枠が構成される。左側のパイプフレームの端部にはチェーンケース５が連結されていると共に、右側のパイプフレームの端部にはサイドプレートが下方に向かって延設されている。チェーンケース５の下端部とサイドプレートの下端部との間には耕耘筒が回転自在に軸支され、耕耘筒には多数の耕耘爪が装着されている。そして、トラクタ２の図示しないＰＴＯ軸からヨークジョイントを介して伝達された動力はギヤケース内に伝動され、左側のパイプフレーム内に軸支した伝動軸及びチェーンケース５内のチェーンを介して耕耘筒が回転駆動される。
【００１０】
耕耘爪は、その回転軌跡６に沿う円弧状のメインカバー７によって上方が覆われ、側方がサイドカバー８によって覆われている。また、メインカバー７の後端にはリヤカバー９が支点軸Ａを介して回動自在に連結してあり、リヤカバー９は耕耘爪の後方を覆うものとなっている。さらに、メインカバー７とリヤカバー９との間には吊りロッド１０が介装されていて、吊りロッド１０はリヤカバー９の下降側の限界を設定し、リヤカバー９の耕耘爪との接当を阻止する。なお、１１は尾輪やその他の作業機を取り付けるツールバーである。
【００１１】
次に、リヤカバー９の下端部に取り付ける整地体１２の取付構造について説明する。図２及び図３に示すようにリヤカバー９の整地面となる下面と反対側の上面には、前後方向の補強フレーム１３，１３がそれぞれ左右両端部に溶接されていると共に、補強フレーム１３，１３のさらに側方には整地体１２を装着するブラケット１４がボルト１５によって取り付けられている。ブラケット１４の中央には前後方向の取付プレート１６が固設され、この取付プレート１６にはガイドピン１７とロックピン１８がそれぞれ機体の内側に向けて突設されて、係止部Ｂを構成している。
【００１２】
一方、整地体１２は上下の板体１２ａ，１２ｂを一体に溶接した中空の本体を備え、下方側の板体１２ａの下面がリヤカバー９の下端に引き続いて湾曲し、耕耘土を均平・整地する作用面となっている。また、整地体１２の長尺な本体の左右端部には延長整地体１９が起伏自在に装着してあり、既耕地との境界を均平に均す作用を担う。そして、整地体１２の左右方向の端部寄りには、左右の装着プレート２０が固着されている。
【００１３】
ここで、装着プレート２０は、前述のガイドピン１７とロックピン１８がそれぞれ嵌るガイド溝２１とロック溝２２を前部側に備え、係合部Ｃを構成している。また、後部側には把持部Ｄが設けてあり、把持部Ｄは装着プレート２０に穿たれた指を通すことができる開口２３の上部側のグリップ部２４で構成される。
【００１４】
さらに、装着プレート２０の中間部にはロック部材Ｅが設けてあり、ロック部材Ｅはフック２５とスプリング２６から構成される。フック２５は装着プレート２０に支点ボルト２７で回動自在に取り付けられ、スプリング２６は装着プレート２０とフック２５に突設したピン２８、２９に両端が引っ掛けられ、ロックピン１８がロック溝２２から離脱しない方向にフック２５を付勢している。そして、フック２５は支点ボルト２７を挟んだ反対側に解除レバー３０を備え、解除レバー３０の先端側はグリップ部２４の下方側の開口２３に臨ませている。
【００１５】
本発明の実施形態におけるロータリ耕耘装置は、深く耕耘する場合は整地体１２をリヤカバー９から外して耕耘作業を行う。また、浅く耕耘する場合は整地体１２をリヤカバー９に取り付けて耕耘作業を行う。
そして、リヤカバー９に整地体１２を取り付ける場合には、図４に示すように左右の把持部Ｄの開口２３に指を入れて、開口２３の機体内方側に隣接する解除レバー３０の先端側に指を掛けてこれを持ち上げる。
これに伴って解除レバー３０はスプリング２６に抗して半時計方向に回動し、解除レバー３０の先端側は把持部Ｄのグリップ部２４に側面視で重なりながら、最終的に解除レバー３０の先端側の下面とグリップ部２４の下面とが一致すると、作業者は解除レバー３０とグリップ部２４の両者を同時に持ち上げることになって、整地体１２を簡単に持ち上げることができる。
なお、この場合、親指はグリップ部２４の上面と解除レバー３０の上面に軽く添えるだけで良く、親指と他の指との間に握力を掛けてグリップ部２４と解除レバー３０の両者を握る必要は特にない。
【００１６】
次に、持ち上げた整地体１２の係合部Ｃをリヤカバー９の下端部に設けた係止部Ｂに係合させて、ロック部材Ｅを用いて整地体１２をリヤカバー９の下端部にロックすることになるが、先ずガイドピン１７にガイド溝２１を嵌めた後、整地体１２を下ろすとロックピン１８にロック溝２２が嵌ることになる。
そして、指をグリップ部２４と解除レバー３０から離すとフック２５はスプリング２６によって時計方向に回動して、ロックピン１８をロック溝２２内に閉じ込めるので整地体１２はリヤカバー９に固定されて、取付作業が完了する。
【００１７】
また、リヤカバー９から整地体１２を取り外す場合には、リヤカバー９に取り付ける場合と同様に、左右の把持部Ｄの開口２３に指を入れて、開口２３の機体内方側に隣接する解除レバー３０の先端側に指を掛けてこれを持ち上げる。これによりフック２５はスプリング２６に抗して反時計方向に回動してロック溝２２を開放し、そのまま整地体１２を後方側に持ち上げると、ガイドピン１７とガイド溝２１及びロックピン１８とロック溝２２との係合が解消されて、整地体１２をリヤカバー９から取り外すことができる。
【００１８】
なお、上記実施例において、左右の把持部Ｄの開口２３に左右の指を入れて同時に整地体１２を持ち上げる際に、解除レバー３０はグリップ部２４の機体内側の側面に密着するように隣接させているため、手のひらが誤ってグリップ部２４と解除レバー３０の間に挟まれる虞はすくない。しかし、より挟まれ事故を少なくするために例えば、解除レバー３０の先端側をグリップ部２４側に折曲して指が常に解除レバー３０のみに当たるようになすことにより、グリップ部２４が常に解除レバー３０を介して持ち上げられるようにしても良い。
【符号の説明】
【００１９】
７  メインカバー
９  リヤカバー
１２  整地体
１７  ガイドピン（係止部）
１８  ロックピン（係止部）
２１  ガイド溝（係合部）
２２  ロック溝（係合部）
２４  グリップ部（把持部）
２５  フック（ロック部材）
３０  解除レバー
【図１】
2012191884.tif 000003
【図２】
2012191884.tif 000004
【図３】
2012191884.tif 000005
【図４】
2012191884.tif 000006